(57)【要約】【課題】  データの詳細情報をデータベースで検索する際に、ネットワークの通信トラフィックを低減するとともに、詳細情報の検索時間を短縮するという課題を解決する。【解決手段】  基地局は、端末からデータを受信する受信手段と、端末から受信したデータに第１のデータ及び第１のデータの詳細情報の検索を行うことを示すヘッダが付加されたデータが含まれているか否かを判断する制御手段と、複数のデータを蓄積する記憶手段と、端末から受信したデータにヘッダが付加されていた場合に、第１のデータと複数のデータとの照合を行い複数のデータに第１のデータに対応する第２のデータ及び第２のデータの詳細情報が含まれているかどうかを出力する照合手段と、第２のデータ及び第２のデータの詳細情報が複数のデータに含まれている場合に、第２のデータの詳細情報を第１のデータの詳細情報として端末に送信する送信手段と、を備える。【選択図】      図１
2013117765.tif 000002
【特許請求の範囲】
【請求項１】
検索対象である第１のデータに前記第１のデータの詳細情報の検索を行うことを示す基地局で識別可能なヘッダを付加して前記基地局に送信し、前記詳細情報を含む返信を前記基地局から受信する送受信手段と、を備える端末。
【請求項２】
前記基地局から受信した前記詳細情報を前記第１のデータと重畳させて表示する表示手段をさらに備える、請求項１に記載された端末。
【請求項３】
画像を撮影し、前記撮影した画像に基づいて前記第１のデータを生成する撮影手段をさらに備える、請求項１又は２に記載された端末。
【請求項４】
前記ヘッダは、３ＧＰＰ（登録商標）の技術基準ＴＳ３６．３２２におけるＲＬＣサブレイヤに設けられるように構成された、請求項１乃至３のいずれかに記載された端末。
【請求項５】
端末からデータを受信する受信手段と、
前記端末から受信したデータに第１のデータ及び前記第１のデータの詳細情報の検索を行うことを示すヘッダが付加されたデータが含まれているか否かを判断する制御手段と、
複数のデータを蓄積する記憶手段と、
前記端末から受信したデータに前記ヘッダが付加されていた場合に、前記第１のデータと前記複数のデータとの照合を行い前記複数のデータに前記第１のデータに対応する第２のデータ及び前記第２のデータの詳細情報が含まれているかどうかを出力する照合手段と、
前記第２のデータ及び前記第２のデータの詳細情報が前記複数のデータに含まれている場合に、前記第２のデータの詳細情報を前記第１のデータの詳細情報として前記端末に送信する送信手段と、を備える基地局。
【請求項６】
前記第２のデータが前記複数のデータに含まれていない場合に、前記第１のデータに関して広域網を介してデータセンターに問い合わせを行うための通信手段をさらに備える、請求項５に記載された基地局。
【請求項７】
前記通信手段が前記データセンターから前記第１のデータの詳細情報を受信した場合には、前記第１のデータ及び前記第１のデータの詳細情報を前記記憶部に記憶させる、請求項６に記載された基地局。
【請求項８】
前記ヘッダは、３ＧＰＰ（登録商標）の技術基準ＴＳ３６．３２２におけるＲＬＣサブレイヤに設けられるように構成された、請求項５乃至７のいずれかに記載された基地局。
【請求項９】
検索対象である第１のデータに前記第１のデータの詳細情報の検索を行うことを示す基地局で識別可能なヘッダを付加して前記基地局に送信し、
前記詳細情報を含む返信を前記基地局から受信する、端末の制御方法。
【請求項１０】
端末からデータを受信し、
前記端末から受信したデータに第１のデータ及び前記第１のデータの詳細情報の検索を行うことを示すヘッダが付加されたデータが含まれているか否かを判断し、
複数のデータを蓄積し、
前記端末から受信したデータに前記ヘッダが付加されていた場合に、前記第１のデータと前記複数のデータとの照合を行い前記複数のデータに前記第１のデータに対応する第２のデータ及び前記第２のデータの詳細情報が含まれているかどうかを出力し、
前記第２のデータ及び前記第２のデータの詳細情報が前記複数のデータに含まれている場合に、前記第２のデータの詳細情報を前記第１のデータの詳細情報として前記端末に送信する、基地局の制御方法。
【発明の詳細な説明】
【技術分野】
【０００１】
本発明は、端末、基地局及びそれらの制御方法に関する。
【背景技術】
【０００２】
カメラ付き携帯電話、スマートフォン、デジタルカメラなど、撮影機能を持ち日常的に持ち歩くことが可能な端末が増加している。携帯電話やスマートフォンはもとより、通信機能を搭載したデジタルカメラの普及が今後見込まれる。また、画像照合技術や画像認識技術などの進化により、撮影した画像データによりデータベースの検索が行われる機会も増加している。さらに、ＡＲ（Ａｕｇｍｅｎｔｅｄ  Ｒｅａｌｉｔｙ、拡張現実）技術と呼ばれる、撮影された画像を認識し、その画像上に情報を重畳させて表示する技術も一般的になっている。
【０００３】
ＡＲのような技術では、撮影した画像を認識するための大容量の画像データベースが必要となる。このため、大容量画像データの送受信による通信トラフィックの増加による回線の逼迫や大量の画像データを格納するためのデータベース容量の確保が課題となっている。データベースを収容するデータセンターを大規模化することにより大容量のデータベースを構築することは可能である。しかし、大量の画像データから所望の画像データを照合するには、大規模な演算が必要であるため、大規模なデータベースからリアルタイムに画像検索結果を受信することは困難である。また、検索性能を向上させるために、画像検索を行う際にＧＰＳ（ｇｌｏｂａｌ  ｐｏｓｉｔｉｏｎｉｎｇ  ｓｙｓｔｅｍ）による位置情報を画像に追加する方法がある。画像の検索の際に位置情報をキーに加えることで、検索の対象となるデータを絞り込むことができるので、検索性能が向上することが期待される。
【０００４】
本発明に関連して、特許文献１には、地域情報が格納されたデータベースを基地局に配置し、使用者が基地局のデータベースにアクセスし地域情報を取得する方法を記載している。また、特許文献２は、基地局を経由して寄せられた情報を集約する際に、基地局情報を元にデータベース化することによって、基地局単位でのデータ検索を可能とする情報共有システムの構成を記載している。なお、非特許文献１は、携帯電話網における無線リンク制御（ＲＬＣ、ｒａｄｉｏ  ｌｉｎｋ  ｃｏｎｔｒｏｌ）プロトコルについて規定している。
【先行技術文献】
【特許文献】
【０００５】
【特許文献１】特許第３５１８０４９号公報
【特許文献２】特許第４３５２０１０号公報
【非特許文献】
【０００６】
【非特許文献１】Ｒａｄｉｏ  Ｌｉｎｋ  Ｃｏｎｔｒｏｌ（ＲＬＣ）  ｐｒｏｔｏｃｏｌ  ｓｐｅｃｉｆｉｃａｔｉｏｎ（ｒｅｌｅａｓｅ  １０）、３ＧＰＰ ＴＳ ３６．３２２ Ｖ１０．０．０、３ｒｄ  Ｇｅｎｅｒａｔｉｏｎ  Ｐａｒｔｎｅｒｓｈｉｐ  Ｐｒｏｊｅｃｔ、２０１０年１２月
【発明の概要】
【発明が解決しようとする課題】
【０００７】
しかしながら、端末がＧＰＳ機能を備えていない場合や端末がＧＰＳ衛星からの電波を受信できない位置にある場合は、端末はＧＰＳによる位置情報を取得できない。このような場合には位置情報による検索対象の絞り込みを行うことができない。画像に位置情報が追加されていない場合には、端末が撮影した画像は大きなデータベースの先頭から順に探索されることになり、検索結果が端末に提示されるまでに時間がかかってしまうという問題がある。
【０００８】
また、特許文献１に記載された情報通信システムにおいては、使用者が携帯端末からデータベースにアクセスする際には、ＩＳＤＮ回線を用いて各データベースに発呼して接続する必要がある。例えば、使用者が基地局の内部にあるデータベースを参照する場合であっても、携帯端末は移動交換機を通じてデータベースに発呼して携帯端末とデータベースとの間で回線を接続し、接続した回線を通じてデータの送受信を行う必要があった。その結果、携帯端末が、携帯端末と直接接続されている基地局のデータベースと通信する場合であっても、通信経路は移動交換機を経由する必要がある。従って、特許文献１に記載された情報通信システムには、移動交換機と基地局との間のトラフィックが増大するとともに、検索のための通信の遅延が大きいという課題があった。
【０００９】
さらに、特許文献２においては、情報共有サーバは基地局及び携帯電話網を介して接続されている。このため、携帯端末から情報共有サーバにアクセスする際には必ず携帯電話網を経由する必要がある。このため、特許文献２においても、特許文献１と同様に、端末とデータベースとの通信によって携帯電話網のトラフィックが増加するとともに、検索のための通信の遅延が大きいという課題があった。
【００１０】
本願発明の目的は、端末が撮影した画像の詳細情報を検索する際に、ネットワークの通信トラフィックを低減し、また、端末が持つ画像の検索時間を短縮するという課題を解決するための技術を提供することにある。
【課題を解決するための手段】
【００１１】
本発明の端末は、検索対象である第１のデータに第１のデータの詳細情報の検索を行うことを示す基地局で識別可能なヘッダを付加して基地局に送信し、詳細情報を含む返信を基地局から受信する送受信手段と、を備える。
【００１２】
本発明の基地局は、端末からデータを受信する受信手段と、端末から受信したデータに第１のデータ及び第１のデータの詳細情報の検索を行うことを示すヘッダが付加されたデータが含まれているか否かを判断する制御手段と、複数のデータを蓄積する記憶手段と、端末から受信したデータにヘッダが付加されていた場合に、第１のデータと複数のデータとの照合を行い複数のデータに第１のデータに対応する第２のデータ及び第２のデータの詳細情報が含まれているかどうかを出力する照合手段と、第２のデータ及び第２のデータの詳細情報が複数のデータに含まれている場合に、第２のデータの詳細情報を第１のデータの詳細情報として端末に送信する送信手段と、を備える。
【００１３】
本発明の端末の制御方法は、検索対象である第１のデータに第１のデータの詳細情報の検索を行うことを示す基地局で識別可能なヘッダを付加して基地局に送信し、詳細情報を含む返信を基地局から受信する。
【００１４】
本発明の基地局の制御方法は、端末からデータを受信し、端末から受信したデータに第１のデータ及び第１のデータの詳細情報の検索を行うことを示すヘッダが付加されたデータが含まれているか否かを判断し、複数のデータを蓄積し、端末から受信したデータにヘッダが付加されていた場合に、第１のデータと複数のデータとの照合を行い複数のデータに第１のデータに対応する第２のデータ及び第２のデータの詳細情報が含まれているかどうかを出力し、第２のデータ及び第２のデータの詳細情報が複数のデータに含まれている場合に、第２のデータの詳細情報を第１のデータの詳細情報として端末に送信する。
【発明の効果】
【００１５】
本発明は、データの詳細情報をデータベースで検索する際の基地局とネットワークとの間の通信トラフィックを低減させるとともに、詳細情報の検索時間を短縮させるという効果を奏する。
【図面の簡単な説明】
【００１６】
【図１】第１の実施形態の画像検索システム構成を示す図である。
【図２】第１の実施形態の画像検索システムにおける画像検索手順を示す図である。
【図３】第１の実施形態における、ＲＬＣサブレイヤの構成を示す図である。
【図４】第１の実施形態における、ＲＭヘッダの構成を示す図である。
【図５】第２の実施形態の検索システムの構成を示す図である。
【発明を実施するための形態】
【００１７】
以下では、本発明を適用した具体的な実施の形態について、図面を参照しながら詳細に説明する。
【００１８】
本発明の第１の実施形態の画像検索システムの構成を図１に示す。画像検索システム１００は、第３世代携帯電話の標準化プロジェクトである３ＧＰＰ（登録商標）の仕様を基本としたネットワーク上に構築されている。画像検索システム１００は、端末１（ＵＥ、ｕｓｅｒ  ｅｑｕｉｐｍｅｎｔ）と、基地局２（ｅＮＢ、Ｅ−ＵＴＲＡＮ  Ｎｏｄｅ  Ｂ）と、広域網３と、データセンター４とを備える。Ｅ−ＵＴＲＡＮは、３ＧＰＰにおけるＥｖｏｌｖｅｄ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋの略称である。広域網３は、例えばインターネットであるが、これに限定されない。また、図１に示した画像検索システム１００は基地局２から直接広域網３に接続されるようになっている。しかし、基地局２は、一般的な無線通信システムと同様にコアネットワーク及びパケットゲートウェイノードを経由してデータセンター４と接続されてもよい。
【００１９】
端末１は制御部１０、操作部１１、撮影部１２、送受信部１３、記憶部１４及び表示部１５を備える。端末１は、いわゆるフューチャフォンやスマートフォンといった端末である。従って、端末１はさらに他の機能を備えていてもよい。
【００２０】
基地局２は、送受信部２０、制御部２１、照合部２２、記憶部２３及び通信部２４を備える。データセンター４は、通信部４０、照合部４１、記憶部４２及び制御部４３を備える。記憶部２３及び４２は、画像データ及びその詳細情報を蓄積して記憶しているデータベースである。
【００２１】
なお、制御部１０及び制御部２１は、それぞれＣＰＵ（Ｃｅｎｔｒａｌ  Ｐｒｏｃｅｓｓｉｎｇ  Ｕｎｉｔ、中央処理装置）８０１、９０１及びメモリ８０２、９０２を備えていてもよい。ＣＰＵ８０１、９０１はメモリ８０２、９０２に記憶されたプログラムにより、それぞれ以下で説明する端末１及び基地局２の機能が実現されるようには各部を制御してもよい。メモリ８０２、９０２は例えば半導体メモリである。しかし、メモリ８０２、９０２はプログラムを記憶できる固定的な記憶媒体であればよく、半導体メモリには限定されない。
【００２２】
図２は、画像検索システム１００における画像検索手順を示す図である。制御部１０により端末１が画像検索モードに設定されると、撮影部１２は撮影可能状態となる。以下、端末１が画像データＡの詳細情報を問い合わせる一連の手順を「画像検索モード」と呼ぶ。操作部１１によって撮影部１２のシャッターが切られると、撮像した画像データＡは記憶部１４に一次的に記憶される（ステップＣ１）。そして、画像データＡの詳細情報を端末１の表示部１５に表示させる場合には、端末１は、画像データＡの詳細情報を検索するために、画像検索のための通信であることを示すヘッダを付加した上で画像データＡを送受信部１３から基地局２に送信する（ステップＳ１）。
【００２３】
画像データＡが基地局２に送られる際に付加される、画像検索モードであることを示すヘッダ（以下、「ＲＭ（ｒｅｃｏｇｎｉｔｉｏｎ  ｍｏｄｅ）ヘッダ」という。）について、図３及び図４を用いて説明する。
【００２４】
図３は、第１の実施形態における、ＲＬＣサブレイヤの構成を示す図である。図３は、非特許文献１のＦｉｇｕｒｅ  ４．２．１−１に記載されたＲＬＣサブレイヤを基本として、ＲＭ（ｒｅｃｏｇｎｉｔｉｏｎ  ｍｏｄｅ）  ＲＬＣ  ｅｎｔｉｔｙを新たに追加している。第１の実施形態では、追加されたＲＬＣ  ｅｎｔｉｔｙにおいて、画像検索モードのＲＭヘッダが定義される。
【００２５】
図４は、ＲＭヘッダの構成を示す図である。図４は、非特許文献１のＦｉｇｕｒｅ  ６．２．１．４−１に示されたＡＭＤ  ＰＤＵ（ａｃｋｎｏｗｌｅｄｇｅｄ  ｍｏｄｅ  ｄａｔａ  ｐｒｏｔｏｃｏｌ  ｄａｔａ  ｕｎｉｔ）を基本に、画像検索モード用のヘッダを新たに定義したものである。
【００２６】
図４において、各フィールドの意味は以下の通りである。Ｄ／Ｃフィールド、ＦＩフィールド及びＥフィールドの意味は非特許文献１に記載されたＡＭＤ  ＰＤＵと同様である。
【００２７】
Ｄ／Ｃ（Ｄａｔａ／Ｃｏｎｔｒｏｌ）フィールドは１ビット長であり、“０”の場合はＣｏｎｔｒｏｌ  ＰＤＵ、“１”の場合はＤａｔａ  ＰＤＵであることを示す。Ｃｏｎｔｒｏｌ  ＰＤＵは、状態の通知や要求の際に用いられる。データはＤａｔａ  ＰＤＵで送られる。
【００２８】
ＲＦ（Ｒｅ−ｓｅｇｍｅｎｔａｔｉｏｎ  Ｆｌａｇ）フィールドは１ビット長であり、“０”の場合はＲＭＤ  ＰＤＵ、“１”の場合はＲＭＤ  ＰＤＵ  ｓｅｇｍｅｎｔ（分割されたＰＤＵ）であることを示す。
【００２９】
Ｐ（Ｐｏｌｌｉｎｇ  ｂｉｔ）フィールドは１ビット長であり“０”の場合は基地内で検索中、“１”の場合は基地局外に問い合わせ中であることを示す。
【００３０】
ＦＩ（Ｆｒａｍｉｎｇ  Ｉｎｆｏ）フィールドは２ビット長であり、ＲＬＣ  ＳＤＵ（Ｓｅｒｖｉｃｅ  Ｄａｔａ  Ｕｎｉｔ）がＤａｔａ  Ｆｉｅｌｄに入っているか分断されているかを表示する。
【００３１】
Ｅ（Ｅｘｔｅｎｓｉｏｎ  ｂｉｔ）フィールドは１ビット長であり、“０”の場合はヘッダの後でＤａｔａ  Ｆｉｅｌｄとなり、“１”の場合はヘッダの後にＬＩフィールドが存在する。
【００３２】
Ｒ１（Ｒｅｓｅｒｖｅｄ  １）フィールドは１ビット長であり、リザーブビットで“０”に設定される。
【００３３】
ＲＭＦ（Ｒｅｃｏｇｎｉｔｉｏｎ  Ｍｏｄｅ  Ｆｌａｇ）フィールドは１ビット長であり、画像検索モードフラグで“１”に設定される。
【００３４】
ＲＭＮ（Ｒｅｃｏｇｎｉｔｉｏｎ  Ｍｏｄｅ  Ｎｕｍｂｅｒ）フィールドは８ビット長であり、１つのＲＭＤ  ＰＤＵによりインクリメントされる。
【００３５】
基地局２において、送受信部２０は端末１から画像データＡを受信したデータのヘッダを解析する。データにＲＭヘッダが含まれており、そのＲＭＦフィールドが“１”である場合、すなわち画像検索モードである場合には、基地局２は画像データＡを照合部２２に送り、記憶部２３が記憶している画像データとの画像照合を行う（図２のステップＣ２）。ここで、基地局２は、基地局内で検索中であることを示すために、ＲＭヘッダのＰフィールドを“０”として端末１に返信してもよい。
【００３６】
画像照合を行った結果、受信した画像データＡと一致する画像がある場合には、その画像に対応する詳細情報を端末１に送信する（ステップＳ４）。基地局２から詳細情報を受信すると、端末１は撮影した画像にその詳細情報を重畳して表示部１５に表示させる（ステップＣ５）。
【００３７】
また、一致する画像が存在しなかった場合には、基地局２は、ＲＭヘッダを除去した上で画像データＡを広域網３を介してデータセンター４に送信する（ステップＳ２）。ここで、基地局２は、基地局内で検索中であることを示すために、ＲＭヘッダのＰフィールドを“１”として端末１に返信してもよい。
【００３８】
データセンター４は受信した画像データＡをクエリとして記憶部４２内のデータベースにおいて画像照合を行い（ステップＣ３）、照合結果を基地局２に送信する（ステップＳ３）。画像照合の結果クエリと一致する画像データが記憶部４２で見つかった場合には、ステップＳ３においてデータセンター４はクエリと一致した画像データの詳細情報と画像データとを基地局２に送信する。クエリと一致する画像データが見つからなかった場合には、データセンター４は不一致の情報のみを基地局２に送信する（ステップＳ３）。なお、本実施形態において、画像データの一致とはデータが全く同一である場合に限られないとする。例えば、画像データに含まれる被写体が同一と判断できる場合に、画像データが一致すると判断してもよい。
【００３９】
ここで、データセンター４は画像データＡと一致する画像が記憶部４２において見つからなかった場合には、画像データＡを記憶部４２に登録するとともに基地局２のエリア情報と共に公開し、一般に情報提供を求めてデータベースの更新を行ってもよい。
【００４０】
例えば、データセンター４は画像データＡの情報に関する問い合わせを広域網３を介して他の端末やデータベースに送信する。そして、問い合わせを受信した他の端末あるいはデータベースのうち、画像データＡに関する情報を持っている端末あるいはデータベースは、持っている情報をデータセンター４に送信する。データセンター４は、画像データＡに関する情報提供の応答を受信した場合には、記憶部４２の画像データＡに提供された情報を紐付けて画像データＡの詳細情報として更新する。
【００４１】
あるいは、データセンター４は、広域網３上に設けられた問い合わせのためのＷｅｂページに画像データＡを掲載することで、画像データＡの情報に関する問い合わせを行ってもよい。このＷｅｂページは、データセンター４が管理するＷｅｂページには限られるものではなく、データセンター４の問い合わせを登録することが可能な、他人が開設したＷｅｂページでもよい。そして、Ｗｅｂページに画像データＡの詳細情報に関する回答が登録された場合には、データセンター４は、その回答をＷｅｂページから受信し、画像データＡの詳細情報として画像データＡと対応させて記憶部４２に登録してもよい。
【００４２】
基地局２は、データセンター４から受け取ったデータがクエリと一致する画像データが見つかったことを示す一致情報であった場合には、データベース４から受信した画像データ及びその詳細情報を記憶部２３に登録する。データセンター４から受け取ったデータがクエリと一致する画像データが見つからなかったことを示す不一致情報であった場合には、基地局２は、画像データＡを記憶部２３に新規な画像データとして登録する（ステップＣ４）。
【００４３】
データセンター４で画像照合を行った結果、画像データＡと一致する画像がある場合には、基地局２はその画像に対応する詳細情報を端末１に送信する（ステップＳ５）。基地局２から詳細情報を受信すると、端末１は撮影した画像にその詳細情報を重畳して表示部１５に表示させる（ステップＣ５）。また、画像データＡに対応する詳細情報が見つからなかった場合には、基地局２は、ステップＳ５においてその旨を端末１に返信する。この場合、端末１は撮影した画像への詳細情報の重畳を行わない。
【００４４】
次に、画像データＡが基地局２に新規に登録された後、画像検索のために画像データＡとは別に撮影された画像データＢを端末１が基地局２に送信した場合を考える。そして、基地局２において画像データＢと一致する画像データＡが発見されたが、画像データＡには詳細情報が登録されていない場合には、基地局２はデータセンター４に画像データＡの詳細情報の問い合わせを行う。基地局２から詳細情報に関する問い合わせを受けたデータセンター４は、記憶部４２に記憶されている画像データＡの詳細情報を確認する。データセンター４は、画像データＡに詳細情報が登録されていればその詳細情報を基地局２に返信し、詳細情報が登録されていなければその旨を基地局２に返信する。基地局２はデータセンター４から画像データＡの詳細情報を受信した場合にはその詳細情報を記憶部２３に登録する。そして、基地局２は、その詳細情報を端末１に画像データＢの詳細情報として送信する。
【００４５】
この手順により、データセンター４が画像データＡに関する詳細情報を広域網３経由で入手した後に画像データＡの詳細情報の問い合わせを基地局２から受けた場合は、広域網３経由で入手された詳細情報を基地局２に応答することができる。
【００４６】
端末１は、以上の手順により基地局２から詳細情報を受信した場合には、記憶部１４に記憶した画像データＢにその詳細情報を重畳させて表示部１５に表示する。なお、表示部１５上で表示される画像が時間的に移動する場合、端末１は記憶部１４に記憶されている画像データの変化から詳細情報が表示される位置の移動を計算し、表示部１５上で詳細情報が表示される位置を画像データの移動に合わせて移動させてもよい。そうすることで、端末１に動画が表示されている場合に、端末１あるいは撮影対象が移動しても詳細情報の表示位置を画像の変化に合わせることができる。
【００４７】
以上のように、第１の実施形態の画像検索システムでは、端末１は、撮影した画像の画像データＡの詳細情報の問い合わせを基地局２に送信する際に、ヘッダを付加して画像データＡとともに送信する。そして、基地局２は、ヘッダが付加された問い合わせを受信すると、まず、基地局２が備える記憶部２３内で画像データＡを検索する。そして、端末１から受信した画像データＡと一致する画像データが記憶部２３で検索された場合は、その画像データに対応する詳細情報を端末１に返信する。画像データＡと一致する画像データが記憶部２３で検索されなかった場合は、基地局２は、データセンター４に画像データＡに関する問い合わせを行う。
【００４８】
すなわち、第１の実施形態において、端末１が問い合わせた画像の詳細情報が基地局２の記憶部２３に記憶されている場合には、端末１からの詳細情報の問い合わせとその応答は端末１と基地局２との間のみで行われる。この場合には、基地局２と広域網あるいはデータセンター４との間で端末１が撮影した画像のデータは伝送されない。すなわち、端末１による問い合わせ及びその応答が基地局２との間のみで完結する場合には広域網３やデータセンター４には画像データが送信されない。
【００４９】
その結果、画像データの送信により基地局２よりも広域網３の帯域が圧迫されず、また、広域網３の混雑状況により検索の問い合わせや応答が遅延することもない。すなわち、第１の実施形態は、画像検索を行う際に画像データとして送受信されるデータサイズが広域網のトラフィックに影響を及ぼすことなく快適に画像検索が可能になるとともに、端末１と基地局２との間の伝送時間は広域網３を経由する場合と比べて短くなり、画像検索時間が短縮されるという効果がある。
【００５０】
このように、第１の実施形態は、データの詳細情報をデータベースで検索する際の基地局とネットワークとの間の通信トラフィックを低減させるとともに、詳細情報の検索時間を短縮させるという効果を奏する。
【００５１】
さらに、第１の実施形態は、端末が撮影した画像が基地局に登録されていない場合には、広域網３を用いてデータベース４あるいは他のＷｅｂサイトに詳細情報の問い合わせを行い、その結果得られた詳細情報を基地局の記憶部に登録することができる。その結果、第１の実施形態は、基地局２に記憶された画像データを更新して新しい情報を端末に提供することが可能になる。
【００５２】
さらに、基地局２はその周辺地域の画像データ及びその詳細詳報を重点的に記憶部２３に記憶するようにしてもよい。その結果、基地局２は、周辺の地域情報をその地域内で閉じて検索を行うことが可能となり、効果的な検索及びデータベースのサイズの縮小が可能となる。基地局２の周辺地域の範囲は、例えば基地局２のカバーエリア内としてもよい。
【００５３】
なお、第１の実施形態では、画像検索モードを示すヘッダを、３ＧＰＰ（登録商標）の技術基準を拡張して定義した。しかし、ヘッダの構成例は、これに限られない。端末１から受信した画像データの検索を基地局２内で行う必要があると基地局２が判断することができるのであれば、ヘッダの構成は任意である。
【００５４】
以上で説明した第１の実施形態において、検索される画像の詳細情報としては、撮影された建物の名称やその連絡先の情報が代表的なものである。しかし、詳細情報の内容は検索された画像に関連するものであればよい。例えば、撮影された画像に単語や文章が含まれていた場合には、基地局はその文字列を翻訳した結果を詳細情報として端末に返信してもよい。
（第２の実施形態）
次に、本発明の第２の実施形態について説明する。図５は、第２の実施形態における検索システム２００の構成を示す図である。検索システム２００では、端末２１０と基地局２２０とが通信可能なように構成されている。
【００５５】
端末２１０は、送受信部２１１を備える。送受信部２１１は、検索対象である第１のデータに、第１のデータの詳細情報の検索を行うことを示す基地局で識別可能なヘッダを付加し、基地局に送信する。また、送受信部２１１は、詳細情報を含む返信を基地局から受信する。第１のデータは、端末２１０の内部で生成されて送受信部２１１に渡されるデータであってもよいし、端末２１０の外部から入力されるデータであってもよい。
【００５６】
一方、基地局２２０は、送受信部２２１と、制御部２２２と、記憶部２２３と、照合部２２４と、を備える。送受信部２２１は、端末２１０からのデータを受信する。制御部２２２は、端末２１０から受信したデータに第１のデータ及び第１のデータの詳細情報の検索を行うことを示すヘッダが付加されたデータが含まれているか否かを判断する。記憶部２２３は、複数のデータを蓄積している。照合部２２４は、端末から受信したデータに詳細情報の検索を行うことを示すヘッダが付加されていた場合に、第１のデータと記憶部２２３に記憶されている複数のデータとの照合を行う。そして、照合部２２４は、第１のデータに対応する第２のデータ及びその詳細情報が記憶部２２３に記憶されている複数のデータに含まれているかどうかを出力する。そして、照合部２２４が第２のデータ及び第２のデータの詳細情報が記憶部２２３に記憶されているデータに含まれている旨を出力している場合には、送受信部２２１は、第２のデータの詳細情報を端末２１０に送信する。
【００５７】
すなわち、端末２１０は、送受信部２１１は、検索の対象となる第１のデータに第１のデータの詳細情報の検索を行うことを示すヘッダを付加して、基地局２２０へ送信する。
【００５８】
そして、基地局２２０は、端末２１０から受信したデータに第１のデータ及び第１のデータの詳細情報の検索を行うことを示すヘッダが付加されていた場合には、照合部２２４において第１のデータと記憶部２２３に記憶されている複数のデータとを照合する。記憶部２２３が記憶する複数のデータに第１のデータに対応する第２のデータ及びその詳細情報が含まれていた場合には、送受信部２２１は、第２のデータの詳細情報を第１のデータの詳細情報として端末２１０に送信する。
【００５９】
すなわち、端末２１０が問い合わせたデータの詳細情報が基地局２２０の記憶部２２３に記憶されているデータに含まれている場合には、端末２１０からの詳細情報の問い合わせとその応答は端末２１０と基地局２２０との間のみで行われる。そして、基地局２２０は、端末２１０との間の回線以外に検索対象となるデータを送信しない。その結果、端末２１０による詳細情報の問い合わせ及びその応答が基地局２２０との間のみで完結する場合には、基地局２２０が接続している他のネットワークのトラフィックが低減されるとともに、端末２１０と基地局２２０との間の伝送時間が他のネットワークを経由する場合と比べて短くなり、検索時間が短縮されるという効果がある。
【００６０】
従って、第２の実施形態の端末２１０及び基地局２２０は、データの詳細情報をデータベースで検索する際の基地局とネットワークとの間の通信トラフィックを低減させるとともに、詳細情報の検索時間を短縮させるという効果を奏する。
【００６１】
なお、以上説明した第１及び第２の実施形態において、端末と基地局との間の伝送路は無線でも有線でもよい。また、第１及び第２の実施形態において、端末及び基地局が備える送受信部は、それぞれ送信部と受信部とが分離されていてもよい。
【００６２】
さらに、本発明の実施形態は以下の付記のようにも記載されうるが、これらには限定されない。
（付記１）
検索対象である第１のデータに前記第１のデータの詳細情報の検索を行うことを示す基地局で識別可能なヘッダを付加して前記基地局に送信し、前記詳細情報を含む返信を前記基地局から受信する送受信手段と、を備える端末。
（付記２）
前記基地局から受信した前記詳細情報を前記第１のデータと重畳させて表示する表示手段をさらに備える、付記１に記載された端末。
（付記３）
画像を撮影し、前記撮影した画像に基づいて前記第１のデータを生成する撮影手段をさらに備える、付記１又は２に記載された端末。
（付記４）
前記ヘッダは、３ＧＰＰ（登録商標）の技術基準ＴＳ３６．３２２におけるＲＬＣサブレイヤに設けられるように構成された、付記１乃至３のいずれかに記載された端末。
（付記５）
端末からデータを受信する受信手段と、
前記端末から受信したデータに第１のデータ及び前記第１のデータの詳細情報の検索を行うことを示すヘッダが付加されたデータが含まれているか否かを判断する制御手段と、
複数のデータを蓄積する記憶手段と、
前記端末から受信したデータに前記ヘッダが付加されていた場合に、前記第１のデータと前記複数のデータとの照合を行い前記複数のデータに前記第１のデータに対応する第２のデータ及び前記第２のデータの詳細情報が含まれているかどうかを出力する照合手段と、
前記第２のデータ及び前記第２のデータの詳細情報が前記複数のデータに含まれている場合に、前記第２のデータの詳細情報を前記第１のデータの詳細情報として前記端末に送信する送信手段と、を備える基地局。
（付記６）
前記第２のデータが前記複数のデータに含まれていない場合に、前記第１のデータに関して広域網を介してデータセンターに問い合わせを行うための通信手段をさらに備える、付記５に記載された基地局。
（付記７）
前記通信手段が前記データセンターから前記第１のデータの詳細情報を受信した場合には、前記第１のデータ及び前記第１のデータの詳細情報を前記記憶部に記憶させる、付記６に記載された基地局。
（付記８）
前記第１のデータ及び第２のデータは画像データである、付記５乃至７のいずれかに記載された基地局。
（付記９）
前記ヘッダは、３ＧＰＰ（登録商標）の技術基準ＴＳ３６．３２２におけるＲＬＣサブレイヤに設けられるように構成された、付記５乃至８のいずれかに記載された基地局。
（付記１０）
付記１乃至４のいずれかに記載された端末が、付記５乃至９のいずれかに記載された基地局と通信可能なように構成された、検索システム。
（付記１１）
検索対象である第１のデータに前記第１のデータの詳細情報の検索を行うことを示す基地局で識別可能なヘッダを付加して前記基地局に送信し、
前記詳細情報を含む返信を前記基地局から受信する、端末の制御方法。
（付記１２）
端末からデータを受信し、
前記端末から受信したデータに第１のデータ及び前記第１のデータの詳細情報の検索を行うことを示すヘッダが付加されたデータが含まれているか否かを判断し、
複数のデータを蓄積し、
前記端末から受信したデータに前記ヘッダが付加されていた場合に、前記第１のデータと前記複数のデータとの照合を行い前記複数のデータに前記第１のデータに対応する第２のデータ及び前記第２のデータの詳細情報が含まれているかどうかを出力し、
前記第２のデータ及び前記第２のデータの詳細情報が前記複数のデータに含まれている場合に、前記第２のデータの詳細情報を前記第１のデータの詳細情報として前記端末に送信する、基地局の制御方法。
（付記１３）
端末が備えるコンピュータを、検索対象である第１のデータに前記第１のデータの詳細情報の検索を行うことを示す基地局で識別可能なヘッダを付加して前記基地局に送信し、前記詳細情報を含む返信を前記基地局から受信する送受信手段、として機能させるための端末の制御プログラム。
（付記１４）
基地局が備えるコンピュータを、
端末からデータを受信する受信手段、
前記端末から受信したデータに第１のデータ及び前記第１のデータの詳細情報の検索を行うことを示すヘッダが付加されたデータが含まれているか否かを判断する制御手段と、
複数のデータを蓄積する記憶手段、
前記端末から受信したデータに前記ヘッダが付加されていた場合に、前記第１のデータと前記複数のデータとの照合を行い前記複数のデータに前記第１のデータに対応する第２のデータ及び前記第２のデータの詳細情報が含まれているかどうかを出力する照合手段、
前記第２のデータ及び前記第２のデータの詳細情報が前記複数のデータに含まれている場合に、前記第２のデータの詳細情報を前記第１のデータの詳細情報として前記端末に送信する送信手段、として機能させるための基地局の制御プログラム。
【符号の説明】
【００６３】
１００  画像検索システム
２００  検索システム
１、２１０  端末
２、２２０  基地局
３  広域網
４  データセンター
１０、２１、４３、２２２  制御部
１１  操作部
１２  撮影部
１３、２０、２１１、２２１  送受信部
１４、２３、４２、２２３  記憶部
１５  表示部
２２、４１、２２４  照合部
２４、４０  通信部
８０１、９０１  ＣＰＵ
８０２、９０２  メモリ
【図１】
2013117765.tif 000003
【図２】
2013117765.tif 000004
【図３】
2013117765.tif 000005
【図４】
2013117765.tif 000006
【図５】
2013117765.tif 000007